(57)【要約】【課題】画像の投影時において不要な光源の点灯時間を有効利用して、当該画像の投影品質を向上させる。【解決手段】画像データの構成色を分析し（ステップＳＡ２）、画像データを投影する際に使用しない原色があるか否かを判断する（ステップＳＡ３）。使用しない原色がなく、全ての原色を使用する場合には（ステップＳＡ３→ＮＯ）、通常のセグメント幅に調整する（ステップＳＡ５）。原色Ｒ、Ｇ、Ｂ、Ｗのうち、画像データを投影する際に使用しない原色がある場合には、使用する各原色のセグメント幅を均等に広げて調整する（ステップＳＡ４）。したがって、通常のセグメント幅がＬＥＤ２０Ｒ、２０Ｇ、２０Ｂ、２０Ｗ毎に均一であって、各々１／４幅ずつであったとし、例えば使用しない原色が１色あり、よって、使用する原色が３色である場合には、３個のＬＥＤを時分割制御する際の各ＬＥＤのセグメント幅を均等に１／３ずつとする。【選択図】図２
2010072123.tif 000002
【特許請求の範囲】
【請求項１】
発光色の異なる複数の光源を時分割で点灯させて画像を投影するプロジェクタであって、
前記投影する画像の構成色を分析する色分析手段と、
この色分析手段による分析結果に基づき、前記複数の光源からの発光色のうち画像の投影時に使用されない発光色があるか否かを判断する第１の判断手段と、
この第１の判断手段により前記使用されない発光色があると判断された場合、当該発光色の時分割点灯時間を他の発光色の時分割点灯時間に割り当てる制御手段と
を備えることを特徴するプロジェクタ。
【請求項２】
前記制御手段は、前記使用されない発光色の時分割点灯時間を、均等な時分割幅で前記他の各発光色の時分割点灯時間にそれぞれ割り当てることを特徴とする請求項１記載のプロジェクタ。
【請求項３】
前記制御手段は、
前記色分析手段により分析された前記画像の構成色に基づいて、前記使用されない発光色の時分割点灯時間を、前記他の各発光色の時分割点灯時間に割り当てることを特徴とする請求項１記載のプロジェクタ。
【請求項４】
前記制御手段は、
前記色分析手段により分析された前記画像の構成色に基づいて、当該画像における前記複数の光源からの各発光色の使用される面積比率を算出する算出手段を備え、
この算出手段により算出された前記各発光色の面積比率に基づき、前記使用されない発光色の時分割点灯時間を、他の発光色の時分割点灯時間に割り当てることを特徴とする請求項３記載のプロジェクタ。
【請求項５】
前記制御手段は、前記算出手段により算出された前記発光色の面積比率の逆数に応じて、
前記使用されない発光色の時分割点灯時間を、他の発光色の時分割点灯時間に割り当てることを特徴とする請求項４記載のプロジェクタ。
【請求項６】
時分割点灯時間を調整することで前記各光源からの発光色のうち何れかを強調するモードを設定するモード設定手段と、
このモード設定手段により設定された前記モードにおいて強調する発光色と、前記第１の判断手段により判断された当該画像の投影時に使用されない発光色とが一致するか否かを判断する第２の判断手段とを備え
前記制御手段は、
前記第２の判断手段により、前記両発光色が一致しないと判断された場合、前記設定したモードに基づく割合で、前記投影時に使用しない発光色の時分割点灯時間を、前記他の発光色の時分割点灯時間に割り当てることを特徴とする請求項１記載のプロジェクタ。
【請求項７】
時分割点灯時間を調整することで前記各光源からの発光色のうち何れかを強調するモードを設定するモード設定手段と、
このモード設定手段により設定された前記モードにおいて強調する発光色と、前記第１の判断手段により判断された当該画像の投影時に使用されない発光色とが一致するか否かを判断する第２の判断手段とを備え
前記制御手段は、
前記第２の判断手段により、前記両発光色が一致する判断された場合、前記使用されない発光色の時分割点灯時間を、均等な時分割幅で前記他の各発光色の時分割点灯時間にそれぞれ割り当てることを特徴とする請求項１又は６記載のプロジェクタ。
【請求項８】
前記第１の判断手段により前記使用されない発光色がないと判断された場合、
前記制御手段は、予め記憶されている通常時の時分割点灯時間を各光源に割り当てることを特徴とする請求項１から７にいずれか記載のプロジェクタ。
【請求項９】
前記発光色の異なる複数の光源は、赤色、緑色、青色、及び白色を各々発光するものであることを特徴とする請求項１から８にいずれか記載のプロジェクタ。
【請求項１０】
前記発光色の異なる複数の光源は、ＬＥＤからなることを特徴とする請求項１から９にいずれか記載のプロジェクタ。
【請求項１１】
発光色の異なる複数の光源を時分割で点灯させて画像を投影するプロジェクタが有するコンピュータを、
前記投影する画像の構成色を分析する色分析手段と、
この色分析手段による分析結果に基づき、前記複数の光源からの発光色のうち画像の投影時に使用されない発光色があるか否かを判断する判断手段と、
この判断手段により前記使用されない発光色があると判断された場合、当該発光色の時分割点灯時間を他の発光色の時分割点灯時間に割り当てる制御手段と
して機能させることを特徴とするプロジェクタ制御プログラム。
【請求項１２】
発光色の異なる複数の光源を時分割で点灯させて画像を投影するプロジェクタにおける光源制御方法であって、
前記投影する画像の構成色を分析する色分析工程と、
この色分析工程による分析結果に基づき、前記複数の光源からの発光色のうち画像の投影時に使用されない発光色があるか否かを判断する判断工程と、
この判断工程により前記使用されない発光色があると判断された場合、当該発光色の時分割点灯時間を他の発光色の時分割点灯時間に割り当てる制御工程と
を含むこと特徴する光源制御方法。
【発明の詳細な説明】
【技術分野】
【０００１】
本発明は、発光色の異なる複数の光源を用いて投影を行うプロジェクタ、該プロジェクタの制御プログラム及び光源制御方法に関するものである。
【背景技術】
【０００２】
従来、会議やプレゼンテーションにおいては、コンピュータ等の画像供給装置から供給された画像を投影光に変換してスクリーン（又はホワイトボード等）上に拡大投影するプロジェクタが使用されている。このプロジェクタにおいては、例えば回転方向にＲ（赤）、Ｇ（緑）、Ｂ（青）に領域分けされたカラーホイール（色フィルタ）を回転させ（以下、カラーホイール方式という）、そこに光源ランプの光を透過させることによりＲＧＢ各色の光を生成し、生成した光を液晶やマイクロミラーアレイ等の空間的光変調素子に入射することによりフルカラー表示が可能となっている。したがって、前記方式においては、カラーホイールの回転に伴うＲＧＢ各色の時分割幅は常に同一となる。
【０００３】
一方、前記投影すべき画像にあっては、必ずしもＲＧＢ各原色を均等に配色表示すべきものであるとは限らず、例えば赤（Ｒ）を強調して表示することが好ましい画像等、特定色を強調表示することが好ましい画像を投影する場合がある。このとき、カラーホイール方式にあっては、ＲＧＢ各色の時分割幅は常に同一であることから、特定色を強調することはできない。
【０００４】
そこで、光源としてＲ、Ｇ、Ｂ各発光色のＬＥＤを用いるとともに（以下、ＬＥＤ方式という）、これらＬＥＤおいてＲＧＢ各色の時分割幅を可変制御するプロジェクタが提案されるに至っている（例えば、特許文献１参照）。係るプロジェクタによれば、投影する画像に応じて特定色のＬＥＤの点灯時間を他のＬＥＤよりも長くすることにより、特定色の強調効果を得ることができる。
【特許文献１】特開２００７−９４１０８号公報
【発明の開示】
【発明が解決しようとする課題】
【０００５】
前述のように、プロジェクタにより投影すべき画像は多様であり、必ずしもＲＧＢ各原色を均等に配色表示すべきものであるとは限らず、さらには、全てのＲＧＢ原色が含まれていない場合もある。例えば、娯楽要素のない記述的画像、会議やプレゼンテーションにおけるタイトルや式次第等はその代表例である。
【０００６】
しかしながら、従来のＬＥＤ方式においては、ＲＧＢの各ＬＥＤの点灯時分割幅を可変制御するのみであるから、ＲＧＢ各色の点灯時間の長短はともかく、１周期においてＲＧＢ各色のＬＥＤは全て必ず点灯する。したがって、投影すべき画像にＲＧＢ何れかの原色が含まれない場合であっても、その画像の投影時には不要である原色のＬＥＤも点灯することとなる。
【０００７】
その結果、当該画像の投影時に不要である原色のＬＥＤが点灯することにより、当該画像の投影結果に悪影響を及ぼすのみならず、不要である原色のＬＥＤの点灯時間を有効利用して、当該画像の投影品質を向上させることも困難となる。
【０００８】
本発明は、かかる従来の課題に鑑みてなされたものであり、当該画像の投影時において不要な光源の点灯時間を有効利用して、当該画像の投影品質を向上させることのできるプロジェクタ、該プロジェクタの制御プログラム及び光源制御方法を提供することを目的とする。
【課題を解決するための手段】
【０００９】
前記課題を解決するために請求項１記載の発明にあっては、発光色の異なる複数の光源を時分割で点灯させて画像を投影するプロジェクタであって、前記複数の各光源からの発光色を各々原色として、前記投影する画像の構成色を分析する色分析手段と、この色分析手段による分析結果に基づき、前記原色のうち当該画像の投影時に使用しない原色があるか否かを判断する第１の判断手段と、この第１の判断手段により前記使用しない原色があると判断された場合、当該使用しない原色を点灯させることなく、その時分割点灯時間を使用する他の原色の時分割点灯時間に割り当てる制御手段とを備えることを特徴する。
【００１０】
また、請求項２記載の発明に係るプロジェクタにあっては、前記制御手段は、前記使用する原色の光源に均等な時分割幅を割り当てることを特徴とする。
【００１１】
また、請求項３記載の発明に係るプロジェクタにあっては、前記制御手段は、前記色分析手段により分析された前記画像の構成色に基づいて、前記使用しない原色の時分割点灯時間を、使用する他の原色の時分割点灯時間に割り当てることを特徴とする。
【００１２】
また、請求項４記載の発明に係るプロジェクタにあっては、前記制御手段は、前記色分析手段により分析された前記画像の構成色に基づいて、当該画像における原色の面積比率を算出する算出手段を備え、この算出手段により算出された前記原色の面積比率に基づき、前記使用しない原色の時分割点灯時間を、使用する他の原色の時分割点灯時間に割り当てることを特徴とする。
【００１３】
また、請求項５記載の発明に係るプロジェクタにあっては、前記制御手段は、前記算出手段により算出された前記原色の面積比率の逆数に応じて、前記使用しない原色の時分割点灯時間を、使用する他の原色の時分割点灯時間に割り当てることを特徴とする。
【００１４】
また、請求項６記載の発明に係るプロジェクタにあっては、前記各光源の時分割点灯時間が調整された複数種のモードのいずれかを設定するモード設定手段と、このモード設定手段により設定された前記モードにおいて使用する原色と、前記第１の判断手段により判断された当該画像の投影時に使用しない原色とが一致するか否かを判断する第２の判断手段とを備え前記制御手段は、前記第２の判断手段により、前記両原色が一致しないと判断された場合、前記モード設定手段により設定された前記モードに応じた割合で、前記投影時に使用しない原色の時分割点灯時間を、前記使用する他の原色の時分割点灯時間に割り当てることを特徴とする。
【００１５】
また、請求項７記載の発明に係るプロジェクタにあっては、前記各光源の時分割点灯時間が調整された複数種のモードのいずれかを設定するモード設定手段と、このモード設定手段により設定された前記モードにおいて使用する原色と、前記第１の判断手段により判断された当該画像の投影時に使用しない原色とが一致するか否かを判断する第２の判断手段とを備え前記制御手段は、前記第２の判断手段により、前記両原色が一致する判断された場合、前記使用する他の原色の時分割点灯時間を均等に割り当てることを特徴とする。
【００１６】
また、請求項８記載の発明に係るプロジェクタにあっては、前記第１の判断手段により前記使用しない原色がないと判断された場合、前記制御手段は、予め記憶されている通常時の時分割点灯時間を各光源に割り当てることを特徴とする。
【００１７】
また、請求項９記載の発明に係るプロジェクタにあっては、前記発光色の異なる複数の光源は、赤色、緑色、青色、及び白色を各々発光するものであることを特徴とする。
【００１８】
また、請求項１０記載の発明に係るプロジェクタにあっては、前記発光色の異なる複数の光源は、ＬＥＤからなることを特徴とする。
【００１９】
また、請求項１１記載の発明に係るプロジェクタ制御プログラムにあっては、発光色の異なる複数の光源を時分割で点灯させて画像を投影するプロジェクタが有するコンピュータを、前記複数の各光源からの発光色を各々原色として、前記投影する画像の構成色を分析する色分析手段と、この色分析手段による分析結果に基づき、前記原色のうち当該画像の投影時に使用しない原色があるか否かを判断する判断手段と、この判断手段により前記使用しない原色があると判断された場合、当該使用しない原色を点灯させることなく、その時分割点灯時間を使用する他の原色の時分割点灯時間に割り当てる制御手段として機能させることを特徴とする。
【００２０】
また、請求項１２記載の発明にあっては、発光色の異なる複数の光源を時分割で点灯させて画像を投影するプロジェクタにおける光源制御方法であって、前記複数の各光源からの発光色を各々原色として、前記投影する画像の構成色を分析する色分析工程と、この色分析工程による分析結果に基づき、前記原色のうち当該画像の投影時に使用しない原色があるか否かを判断する判断工程と、この判断工程により前記使用しない原色があると判断された場合、当該使用しない原色を点灯させることなく、その時分割点灯時間を使用する他の原色の時分割点灯時間に割り当てる制御工程とを含むこと特徴する。
【発明の効果】
【００２１】
本発明によれば、当該画像の投影時においては不要な発光色からなる光源の点灯時間を有効利用して、輝度等の当該画像の投影品質を向上させることができる。
【発明を実施するための最良の形態】
【００２２】
以下、本発明の一実施の形態を図にしたがって説明する。
（第１の実施形態）
図１は、本発明の各実施の形態に共通するプロジェクタ１の電気的構成を示すブロック図である。このプロジェクタ１は、制御部１１、入出力インターフェイス１２、画像変換部１３、表示エンコーダ１４、表示駆動部１５等を有するものであって、入出力コネクタ部１６から入力された各種規格の画像信号（画像データ）は、入出力インターフェイス１２、システムバス１７を介して、画像変換部１３で表示に適した所定フォーマットの画像信号に統一するように変換された後、表示エンコーダ１４に送られる。
【００２３】
表示エンコーダ１４は、送られてきた画像信号をビデオＲＡＭ１８に展開記憶させた上で、このビデオＲＡＭ１８の記憶内容からビデオ信号を生成して表示駆動部１５に出力するものである。
【００２４】
表示エンコーダ１４からビデオ信号が入力される表示駆動部１５は、送られてきたビデオ信号に対応して適宜フレームレートで２５６階調毎に表示素子としてのＤＭＤ１９（デジタル・マイクロミラー・デバイス）を駆動する。そして、光源装置２０から射出された光線束を、光源側光学系を介してＤＭＤ１９に入射することにより、ＤＭＤ１９の反射光で光像を形成し、投影側光学系とする可動レンズ群２１を介して図示しないスクリーンに画像を投影表示する。この投影側光学系の可動レンズ群２１は、レンズモータ２２によりズーム調整やフォーカス調整のための駆動が行われる。
【００２５】
画像圧縮／伸張部２３は、画像信号における輝度信号及び色差信号をＡＤＴＣ及びハフマン符号化等の処理により、データ圧縮して着脱自在な記録媒体であるメモリカード２４に書き込む記録処理や、メモリカード２４に記録された画像データを読み出し、一連の動画を構成する個々の画像データを１フレーム単位で伸張して画像変換部１３を介して表示エンコーダ１４に送り、メモリカード２４に記憶された画像データに基づいて動画等の表示を可能にするものである。
【００２６】
制御部１１は、プロジェクタ１内における各回路の動作を制御するものであって、ＣＰＵ及びその周辺回路、ＲＯＭ１１１、ＲＡＭ１１２等で構成されている。ＲＯＭ１１１には、各種セッティング等のプログラム、後述するフローチャートにより示すプログラムやデータ等が予め記憶されており、ＲＡＭ１１２は、ワークメモリ等として使用される。
【００２７】
キー／インジケータ部２５は、本体ケース等に設けられているメインキー及びインジケータ等により構成され、その操作信号は制御部１１に送出される。また、リモートコントローラからのキー操作信号は、Ｉｒ受信部２６で受信され、Ｉｒ処理部２７で復調されてコード信号が制御部１１に送られる。
【００２８】
また、制御部１１には、システムバス１７を介して音声処理部３０が接続されており、音声処理部３０はＰＣＭ音源等の音源回路を備え、投影モード及び再生モード時には、音声データをアナログ化し、スピーカ３１を駆動して拡声放音させることができる。
【００２９】
前記光源装置２０は、Ｒ（赤）色を発光する赤色ＬＥＤ２０Ｒ、Ｇ（緑）色を発光する緑色ＬＥＤ２０Ｇ、Ｂ（青）色を発光する青色ＬＥＤ２０Ｂ、及びＷ（白）色を発光する白ＬＥＤ２０Ｗで構成されている。制御部１１は、光源制御回路３２を制御することにより、画像信号に応じて各ＬＥＤ２０Ｒ、２０Ｇ、２０Ｂ、２０Ｗを時分割制御する。
【００３０】
なお、本明細書においては、前記光源装置２０を構成するＬＥＤ２０Ｒ、２０Ｇ、２０Ｂ、２０Ｗが時分割制御されて発生する前記Ｒ（赤）色、Ｇ（緑）色、Ｂ（青）色、Ｗ（白）色を原色と呼ぶものとする。
【００３１】
以上の構成に係る本実施の形態において、プロジェクタ１の制御部１１は、ＲＯＭ１１１に記憶されたプログラムに基づき、図２に示すフローチャートに従って処理を実行する。すなわち、入出力コネクタ部１６にパソコン等から供給される当該画像データの規格に従ったフレームレートで供給される画像データ、あるいはメモリカード２４から当該規格に従ったフレームレートで供給される画像データを読み出す（ステップＳＡ１）。
【００３２】
次に、この読み出した画像データの構成色を分析する（ステップＳＡ２）。この構成色を分析に際しては、画像データの構成色を前記原色Ｒ、Ｇ、Ｂ、Ｗに分解し、例えばこれら原色Ｒ、Ｇ、Ｂ、Ｗの含有パーセンテージを算出する。しかる後に、前記画像データにおいて、原色Ｒ、Ｇ、Ｂ、Ｗのうち使用されていない原色があるか否か、換言すれば画像データを投影する際に使用しない原色があるか否かを判断する（ステップＳＡ３）。
【００３３】
使用しない原色がなく、全ての原色を使用する場合には（ステップＳＡ３→ＮＯ）、投影画像を作成する１周期において各色ＬＥＤを点灯させる各セグメント幅を通常のセグメント幅に調整する（ステップＳＡ５）。つまり、ＲＯＭ１１１には、ＬＥＤ２０Ｒ、２０Ｇ、２０Ｂ、２０Ｗを全て用い、これらを時分割制御する際の各ＬＥＤの点灯時間である通常のセグメント幅が記憶されている。したがって、ＬＥＤ２０Ｒ、２０Ｇ、２０Ｂ、２０Ｗを全て用いて画像投影を行う場合には、ステップＳＡ５での処理により、前記通常のセグメント幅をＲＯＭ１１１から読み出して、ＲＡＭ１１２のワークエリアに記憶する。
【００３４】
引き続き、このＲＡＭ１１２に一時記憶した通常のセグメント幅で光源装置２０における４個の各ＬＥＤ２０Ｒ、２０Ｇ、２０Ｂ、２０Ｗを駆動しつつ、画像投影を実行する（ステップＳＡ６）。つまり、表示駆動部１５が、送られてきた画像信号に対応して表示素子１９を駆動し、光源装置２０から射出された光線束を光源側光学系を介して表示素子１９に入射することにより、表示素子１９の反射光で光像を形成し、レンズ群２１を介して図示しないスクリーンにスライド画像を投影する。
【００３５】
したがって、使用しない原色がない場合には、ＬＥＤ２０Ｒ、２０Ｇ、２０Ｂ、２０Ｗを全て用い、かつこれらの全ＬＥＤを通常のセグメント幅で時分割点灯させつつ、画像投影が行われることとなる。
【００３６】
他方、ステップＳＡ３の判断がＹＥＳである場合、つまり前記画像データにおいて、投影時に原色Ｒ、Ｇ、Ｂ、Ｗのうち使用されていない原色がある場合には、使用しない原色のセグメント幅を、使用する各原色のセグメント幅の均等な増設に割り当て、光源装置２０における各ＬＥＤの点灯パターンを調整する（ステップＳＡ４）。したがって、各ＬＥＤ２０Ｒ、２０Ｇ、２０Ｂ、２０Ｗの通常点灯時のセグメント幅が均一に各々１／４幅ずつであったとすると、例えば使用しない原色が１色あり、使用する原色が３色ある場合には、これら３色のＬＥＤを時分割制御する際の各ＬＥＤの点灯時間であるセグメント幅を均等に１／３ずつとして、ＲＡＭ１１２のワークエリアに記憶する。
【００３７】
又は、通常のセグメント幅が各ＬＥＤ２０Ｒ、２０Ｇ、２０Ｂ、２０Ｗ毎に均一ではなく、異なっている場合もある。この場合には、例えば使用しない原色が１色あり、よって、使用する原色が３色であるときには、使用しない原色（１色）のセグメント幅を１／３にして、これを使用する原色（３色）のセグメント幅にそれぞれ加算して、ＲＡＭ１１２のワークエリアに記憶する。
【００３８】
引き続き、このＲＡＭ１１２に一時記憶した均等なセグメント幅で、光源装置２０の各ＬＥＤ２０Ｒ、２０Ｇ、２０Ｂ、２０Ｗのうち、使用しない原色のＬＥＤを除き、使用する原色のＬＥＤのみを順次点灯駆動しつつ、前述と同様にして画像投影を実行する（ステップＳＡ６）。したがって、使用しない原色が例えば１つある場合には、ＬＥＤ２０Ｒ、２０Ｇ、２０Ｂ、２０Ｗのうち１つを除き、残る他の３個のＬＥＤを同一のセグメント幅で時分割点灯させつつ、画像投影が行われることとなる。
【００３９】
よって、第１に、当該画像に含まれておらず、当該画像の投影時には不要である原色のＬＥＤは点灯することなく消灯状態に維持される。その結果、当該画像の投影時に不要である原色のＬＥＤが点灯することに起因して、当該画像の投影結果に悪影響を及ぼす現象の発生を未然に防止することができ、これにより、当該画像の投影品質を向上させることができる。
【００４０】
また、第２に、今回の画像投影に用いない原色ＬＥＤの点灯時間分（セグメント幅分）を、今回の画像投影に用いる残る他の３個のＬＥＤの点灯時間に有効利用することができる。これにより、会議やプレゼンテーション等においては、投影画像が含有する特定色を強調表示したり、画像全体の輝度を高める等が可能となる。
【００４１】
その結果、当該画像の投影時において不要な原色ＬＥＤの消灯、及び不要な原色ＬＥＤの点灯時間を有効利用した他の必要な原色ＬＥＤの点灯時間の長大化により、当該画像の投影品質を向上させることができる。
【００４２】
（第２の実施の形態）
図３は、本発明の第２の実施の形態における処理手順を示すフローチャートである。このフローチャートにおいて、ステップＳＢ４を除く、ステップＳＢ１〜ＳＢ３、ＳＢ５、ＳＢ６の処理は、図２に示した前述のステップＳＡ４を除く、ステップＳＡ１〜ＳＡ３、ＳＡ５、ＳＡ６の処理と同一である。そして、唯一異なるステップＳＡ４に対応するステップＳＢ４においては、投影する画像データに使用しない原色があった場合、この使用しない原色のセグメント幅を使用する各原色のセグメント幅に上記画像構成色に基づいて割り当て、使用する各原色のセグメント幅の増設比率を調整する。
【００４３】
すなわち、図４（Ａ）に例示するように、緑（Ｇ）が含まれておらず、３種類の原色、白（Ｗ）、赤（Ｒ）、青（Ｂ）のみを含み、白地に赤と青の模様や文字が点在しているような画像Ｐの場合、ステップＳＢ３の判断がＹＥＳとなって、ステップＳＢ４の処理が実行されることとなる。
【００４４】
図４（Ｂ）に示すステップＳＢ４１〜ＳＢ４３は、前記ステップＳＢ４の処理手順の詳細を示すフローチャートである。まず、投影すべき画像データに基づく画像において、原色での画像構成色である画像構成原色の面積比を算出する（ステップＳＢ４１）。このとき、投影すべき画像データに基づく画像が前記図４（Ａ）に示した画像Ｐであったとすると、画像構成原色の面積比として、
白（Ｗ）＝６０％
赤（Ｒ）＝３０％
青（Ｂ）＝１０％
が算出されることとなる。
【００４５】
次に、前記ステップＳＢ４１で算出した面積比の逆数である逆比率を算出する（ステップＳＢ４２）。このステップＳＢ４２での処理により、前記面積比の逆比率として、
白（Ｗ）＝１０％
赤（Ｒ）＝３０％
青（Ｂ）＝６０％
が算出される。
【００４６】
さらに、使用する各原色のセグメント幅を前記逆比率に調整する（ステップＳＡ４３）。つまりこのステップＳ４３での処理により、前記ステップＳ４２で得られている
白（Ｗ）セグメント幅＝１０％
赤（Ｒ）セグメント幅＝３０％
青（Ｂ）セグメント幅＝６０％
をＲＡＭ１１２のワークエリアに記憶する。
【００４７】
そして、図３のフローチャートにおいてステップＳＢ４に続くステップＳＢ６においては、このＲＡＭ１１２に一時記憶したセグメント幅で光源装置２０における３個のＬＥＤ２０Ｒ、２０Ｂ、２０Ｗを駆動しつつ、画像投影を実行する（ステップＳＢ６）。したがって、セグメント幅は、
白（Ｗ）＝１０％
赤（Ｒ）＝３０％
青（Ｂ）＝６０％
となって、前記画像構成原色の面積比
白（Ｗ）＝６０％
赤（Ｒ）＝３０％
青（Ｂ）＝１０％
とは逆になる。
【００４８】
つまり、画像Ｐにおいて最も大きい面積比「白（Ｗ）＝６０％」の部分は、図４（Ａ）に例示したように、背景の色であると想定することができる。また、これより小さい面積比「赤（Ｒ）＝３０％」、「青（Ｂ）＝１０％」の部分が、背景以外の当該画像Ｐにおける特徴部分であると想定することができる。したがって、背景部分は投影画像において非重要部分であるから色強調する必要性は低く、一方当該画像Ｐにおける特徴部分は、投影画像において重要部分であるから、可及的に色強調することが表示形態として好ましい。
【００４９】
そこで、本実施の形態においては、前述したステップＳＢ４２及びステップＳＢ４３において、面積比率に対する逆比率で、投影画像に使用されない原色のＬＥＤ点灯セグメント幅の分、使用する原色のＬＥＤ点灯セグメント幅の増設する比率を調整するようにした。このようにすれば、投影画像において面積比率は大きいが非重要な背景に関しては、消極的な色強調にすることができる。その一方で、投影画像において面積比率は小さいが重要な特徴部分に関しては、逆比率により、増設するセグメント幅を大きくすることができ、積極的な色強調をすることができる。したがって、面積比率が小さければ小さいほど、色強調して投影することができ、これにより投影画像の細部に亘る明瞭表示が可能となる。
【００５０】
（第３の実施の形態）
図５は、本発明の第３の実施の形態における処理手順を示すフローチャートである。すなわち、入出力コネクタ部１６にパソコン等から供給される当該画像データの規格に従ったフレームレートで供給される画像データ、あるいはメモリカード２４から当該規格に従ったフレームレートで供給される画像データを読み出す（ステップＳＣ１）。
【００５１】
次に、モード設定があるか否かを判断する（ステップＳＣ２）。ここでモード設定により設定されるモードには、
・Ｒ（赤）色を強調調整する第１モード、
・Ｇ（緑）色を強調調整する第２モード、
・Ｂ（青）色を強調調整する第３モード、
・Ｗ（白）色を強調調整する第４モード、
及びこれらモードを組み合わせた組合せモード等がある。
【００５２】
そして、これらいずれのモードも設定されていない場合には、図２のフローチャートで説明したと同様に、通常のセグメント幅に調整する（ステップＳＣ６）。つまり、ＲＯＭ１１１には、ＬＥＤ２０Ｒ、２０Ｇ、２０Ｂ、２０Ｗを全て用い、これらを時分割制御する際の各ＬＥＤの点灯時間である通常のセグメント幅が記憶されている。したがって、ＬＥＤ２０Ｒ、２０Ｇ、２０Ｂ、２０Ｗを全て用いて画像投影を行う場合には、ステップＳＣ６での処理により、前記通常のセグメント幅をＲＯＭ１１１から読み出して、ＲＡＭ１１２のワークエリアに記憶する。引き続き、このＲＡＭ１１２に一時記憶した通常のセグメント幅で光源装置２０の全ＬＥＤであるＬＥＤ２０Ｒ、２０Ｇ、２０Ｂ、２０Ｗを順次点灯駆動しつつ、前述と同様にして画像投影を実行する（ステップＳＣ６）。
【００５３】
また、ステップＳＣ２での判断の結果、モード設定がある場合には、前記ステップＳＣ１で読み出した画像データの構成色を分析する（ステップＳＣ３）。この構成色を分析に際しては、前述と同様に、画像データの構成色を原色Ｒ、Ｇ、Ｂ、Ｗに分解し、例えばこれら原色Ｒ、Ｇ、Ｂ、Ｗの含有パーセンテージを算出する。しかる後に、前記画像データにおいて、原色Ｒ、Ｇ、Ｂ、Ｗのうち使用されていない原色があるか否か、換言すれば画像データを投影する際に使用しない原色があるか否かを判断する（ステップＳＣ４）。
【００５４】
使用しない原色がなく、全ての原色を使用する場合には（ステップＳＣ４→ＮＯ）、前述と同様に、ステップＳＣ６にて通常のセグメント幅に調整し、ステップＳＣ８にて画像投影を行う。
【００５５】
しかし、ステップＳＣ４の判断がＹＥＳである場合、つまり前記画像データにおいて、原色Ｒ、Ｇ、Ｂ、Ｗのうち使用されていない原色があり、よって画像データを投影する際に使用しない原色がある場合には、当該使用しない原色は、前記ステップＳＣ２でモード設定ありと判断されたモードで調整するように設定した原色であるか否かを判断する（ステップＳＣ５）。
【００５６】
つまり、
・第１モードはＲ（赤）色を強調調整するモードであるから、使用しない原色がＲ（赤）色である場合、「使用しない原色はモードで調整するように設定した原色」となる（ステップＳＣ５→ＹＥＳ）。
・第２モードはＧ（緑）色を強調調整するモードであるから、使用しない原色がＧ（緑）色である場合、「使用しない原色はモードで調整するように設定した原色」となる（ステップＳＣ５→ＹＥＳ）。
・第３モードはＢ（青）色を強調調整するモードであるから、使用しない原色がＢ（青）色である場合、「使用しない原色はモードで調整するように設定した原色」となる（ステップＳＣ５→ＹＥＳ）。
・第４モードはＷ（白）色を強調調整するモードであるから、使用しない原色がＷ（白）色である場合、「使用しない原色はモードで調整するように設定した原色」となる（ステップＳＣ５→ＹＥＳ）。
【００５７】
このように「使用しない原色」＝「モードで調整するように設定した原色」である場合には、当該原色はそもそも使用しないのであるから、当該原色のセグメントを広げて調整すること（ステップＳＣ７）に意味がなく、ステップＳＣ７の処理を実行することが無用となる。よって、この場合には、ステップＳＣ７の処理を行うことなく、ステップＳＳ９に進む。そして、ステップＳＣ９において、使用する原色のセグメント幅を均等調整し、また、スピーカ３１を駆動して警報音（操作者、説明者のみに受聴可能な消音量）させ（ＳＣ１０）、前記ステップＳＣ８に進む。
【００５８】
したがって、「使用しない原色」＝「モードで調整するように設定した原色」である場合にも、セグメント幅は均等であって特定の原色が強調される訳ではないが、支障なく投影を行うことができる。また、警報音により、「使用しない原色」＝「モードで調整するように設定した原色」という矛盾が生じたことを、操作者や説明者に知らせることができる。
【００５９】
また、ステップＳＣ５の判断がＮＯであって、当該使用しない原色は、前記ステップＳＣ２でモード設定ありと判断されたモードで調整するように設定した原色ではない場合、つまり、
「使用しない原色」≠「モードで調整するように設定した原色」
である場合には、ステップＳＣ７の処理を実行した後、前記画像投影処理（ステップＳＣ８）を実行する。
【００６０】
すなわち、前記ステップＳＣ７においては、モードに従う割合で使用する原色のセグメント幅を広げて調整する。ここで、「モードに従う割合」に関しては、前述の
・Ｒ（赤）色を強調調整する第１モード、
・Ｇ（緑）色を強調調整する第２モード、
・Ｂ（青）色を強調調整する第３モード、
・Ｗ（白）色を強調調整する第４モード、
の各モードにおいて、ステップＳＣ７で強調調整する際のセグメント幅が第１〜第４モード毎に予め決定されてＲＯＭ１１１に記憶されている。例えば、赤を他の原色より２倍強調する第１モードに設定された状態で、Ｇの原色が投影画像に使用されないとすると、このＧのＬＥＤの点灯セグメント幅の分他のＲ、Ｂ、ＷのＬＥＤの点灯セグメント幅を増設する際に、Ｒのセグメント幅の増設分はＢとＷのセグメント幅の増設分の２倍になる割合で各々のＬＥＤ点灯セグメント幅を増設する。したがって、第１〜第４各モードに応じて、不使用原色のセグメント幅を利用して、強調調整する原色のセグメント幅を優先的に広げることができる。
【００６１】
したがって、第１に、当該画像に含まれておらず、当該画像の投影時には不要である原色のＬＥＤは消灯状態に維持される。その結果、当該画像の投影時に不要である原色のＬＥＤが点灯することに起因して、当該画像の投影結果に悪影響を及ぼす現象の発生を未然に防止することができ、これにより、当該画像の投影品質を向上させることができる。
【００６２】
また、第２に、今回の画像投影に用いない原色ＬＥＤの点灯時間分を、モードに応じて強調点灯させるべきＬＥＤの点灯時間に有効利用することができる。これにより、会議やプレゼンテーション等においては、投影画像が含有する特定色を強調表示したり、画像全体の輝度を高める等が可能となる。
【００６３】
その結果、当該画像の投影時において不要な原色ＬＥＤの消灯、及び不要な原色ＬＥＤの点灯時間を有効利用した他の必要な原色ＬＥＤの点灯時間の長大化により、当該画像の投影品質を向上させることができる。
なお、上述の第３の実施の形態においては、ユーザーが予め強調したい色を選択設定することにより、投影画像に使用されない原色のＬＥＤ点灯期間を他の原色のＬＥＤ点灯期間の増設に割り当てる際に、ユーザが設定した原色のＬＥＤ点灯期間を優先的に増設する構成としたが、これに限らず、逆にユーザが強調したくない色を予め選択設定しておくことにより、その原色のＬＥＤ点灯期間は消極的に増設するか、もしくは増設しないこととしても良い。このような構成にすると、例えばプレゼンテーション等の場において投影される資料等は背景を１色で統一した一連の資料であることが多いため、その背景色を予め強調したくない色に設定しておくことにより、背景以外の強調したい部分により高い輝度や色の投影を実現できるものである。
【００６４】
なお、実施の形態においては、Ｒ、Ｇ、Ｂ、Ｗを４原色として用いた場合を示したが、原色の数は「４」に限定されるものではなく、さらにシアン、マゼンタなどの色を原色として用いるようにしてもよい。
【００６５】
また、上述の実施の形態においては発光色の異なるＬＥＤを光源として用いるようにしたことから、コスト及び省電等に優れるが、ＬＥＤ以外の他の発光色の異なる複数の光源、例えばレーザー光源を用いるようにしてもよい。
【図面の簡単な説明】
【００６６】
【図１】本発明の一実施の形態に係るプロジェクタの回路構成を示すブロック図である。
【図２】本発明の第１の実施の形態における処理手順を示すフローチャートである。
【図３】本発明の第２の実施の形態における処理手順を示すフローチャートである。
【図４】（Ａ）は図３のフローチャートにおけるステップＳＢ４の動作を示す説明図、（Ｂ）は同ステップＳＢ４の詳細を示すフローチャートである。
【図５】本発明の第３の実施の形態における処理手順を示すフローチャートである。
【符号の説明】
【００６７】
１    プロジェクタ
１１    制御部
１２    入出力インターフェイス
１３    画像変換部
１４    表示エンコーダ
１５    表示駆動部
１６    入出力コネクタ部
１７    システムバス
１８    ビデオＲＡＭ
１９    表示素子
１９    ＤＭＤ
２０    光源装置
２０Ｂ    青色ＬＥＤ
２０Ｇ    緑色ＬＥＤ
２０Ｒ    赤色ＬＥＤ
２０Ｗ    白色ＬＥＤ
２１    可動レンズ群
２２    レンズモータ
２３    画像圧縮／伸張部
２４    メモリカード
２５    キー／インジケータ部
３０    音声処理部
３１    スピーカ
３２    光源制御回路
１１１    ＲＯＭ
１１２    ＲＡＭ
Ｐ    画像
【図１】
2010072123.tif 000003
【図２】
2010072123.tif 000004
【図３】
2010072123.tif 000005
【図４】
2010072123.tif 000006
【図５】
2010072123.tif 000007